(57)【要約】      （修正有）【課題】輸送及び物流用パレットの上に段積された積荷が軽くても、荷崩れを防止することができる結合具及びその結合具を使用した荷崩れ防止バンドを提供する。【解決手段】結合具１は、一か所が切断された少なくとも１個の固体のリング２と、固体のリング２に巻きついた状態で連結された弾性伸縮体のリング３と、弾性伸縮体のリング３の固体のリング２への巻きつきの強弱を調節する巻きつき調整手段４を有する。また、荷崩れ防止バンド１０は、帯体５の一端に、結合具１の固体のリング２が取り付けられ、帯体の他端に結合具の弾性伸縮体のリング３が取り付けられている。【選択図】図２
0003206728.tif 000002
【実用新案登録請求の範囲】
【請求項１】
一か所が切断された少なくとも１個の固体のリングと、
この固体のリングに巻きついた状態で連結された弾性伸縮体のリングと、
この弾性伸縮体のリングの前記固体のリングへの巻きつきを調節する巻きつき調整手段を有する結合具。
【請求項２】
前記巻きつき調整手段は、前記弾性伸縮体のリングの前記固体のリングに巻きついている部分の近くで、前記弾性伸縮体のリングの一部を絞ることによって、前記弾性伸縮体のリングの前記固体のリングへの巻きつきを強くできるようになっていることを特徴とする請求項１に記載の結合具。
【請求項３】
前記弾性伸縮体のリング及び巻きつき調整手段は輪ゴムであることを特徴とする請求項１又は２に記載の結合具。
【請求項４】
帯体の一端に、請求項１乃至３の何れかの結合具の固体のリングが取り付けられており、前記帯体の他端に前記結合具の弾性伸縮体のリング、又は、一端に取り付けられた固体のリングとは別体であって弾性伸縮体のリングに連結されている固体のリングが取り付けられていることを特徴とする荷崩れ防止バンド。
【考案の詳細な説明】
【技術分野】
【０００１】
本考案は、結合具及びその結合具を使用した荷崩れ防止バンドに関する。
【背景技術】
【０００２】
輸送及び物流用パレットの上に段積された積荷は、パレットの移送の過程で発生する振動等によって、荷崩れを起こしやすい。荷崩れによって落下した積荷に収容されている商品は破損品として扱われることとなる。
【考案の概要】
【考案が解決しようとする課題】
【０００３】
特に、菓子等の商品が収容された積荷の場合は、収容されたお菓子等が軽いため、段の上下の積荷同士の摩擦力が小さく、左右に容易にずれてしまう。この左右のずれが大きくなると荷崩れを引き起こしてしまうという問題がある。
【０００４】
上記点より本考案は、輸送及び物流用パレットの上に段積された積荷が軽くても、荷崩れを防止することができる結合具及びその結合具を使用した荷崩れ防止バンドを提供することを目的とする。
【課題を解決するための手段】
【０００５】
上記課題を解決するため、請求項１の結合具は、一か所が切断された少なくとも１個の固体のリングと、この固体のリングに巻きついた状態で連結された弾性伸縮体のリングと、この弾性伸縮体のリングの前記固体のリングへの巻きつきを調節する巻きつき調整手段を有する。
【０００６】
請求項１の結合具と組み合わされて使用される帯体とからなる荷崩れ防止バンドが、輸送及び物流用パレットの上に段積された積荷の周囲に装着されることによって、パレットの移送の過程で発生する振動等による積荷の左右のずれが抑制され、積荷の荷崩れを防止することができる。
【０００７】
また、弾性伸縮体のリングが伸びた状態で使用すれば、弾性伸縮体のリングが縮まるように結合具が付勢される。荷崩れ防止バンドとして結合具と組み合わされて使用される帯体が弾性伸縮しなくても、荷崩れ防止バンドが弾性伸縮機能を有することとなる。これにより、積み重ねられた積荷への荷崩れ防止バンドの装着及び取り外しが容易となる。
【０００８】
さらに、荷崩れ防止バンドが弾性伸縮機能を有するので、荷崩れ防止バンドが装着された状態を維持したままで、積荷の一部を輸送及び物流用パレットから降ろして、荷崩れ防止バンドの装着されている積荷の数を変化させることが可能となる。
【０００９】
請求項１の結合具は、固体のリングの切断された部分から弾性伸縮体のリングと容易に連結することができる。そのため固体のリングと弾性伸縮体のリングが破損・劣化した場合の交換が容易に行うことができる。
【００１０】
請求項１の結合具は、弾性伸縮体のリングの前記固体のリングへの巻きつきを調節することができる。そのため、巻きつきを強くすれば固体のリングに弾性伸縮体のリングが巻きついている位置を動きにくくすることができる。逆に、巻きつきを弱くすれば固体のリングに弾性伸縮体のリングが巻きついている位置を容易に移動させることができる。
【００１１】
請求項２の結合具は、請求項１の結合具において、前記巻きつき調整手段は、前記弾性伸縮体のリングの前記固体のリングに巻きついている部分の近くで、前記弾性伸縮体のリングの一部を絞ることによって、前記弾性伸縮体のリングの前記固体のリングへの巻きつきを強くできるようになっている。
【００１２】
請求項２の結合具によれば、請求項１の結合具と同様に作用する上に、弾性伸縮体のリングの固体のリングへの巻きつきを強くすることが容易に行うことができ、逆に、弾性伸縮体のリングの固体のリングへの巻きつきを弱くすることも容易に行うことができる。
【００１３】
請求項３の結合具は、請求項１又は２の結合具において、前記弾性伸縮体のリング及び巻きつき調整手段は輪ゴムである。
【００１４】
請求項３の結合具によれば、請求項１又は２の結合具と同様に作用する上に、輪ゴムを使用しているので、交換のための入手が容易である。既存の規格の輪ゴムを利用することができるので、製造コストを低下させることができる。
【００１５】
請求項４の荷崩れ防止バンドは、帯体の一端に、請求項１乃至３の何れかの結合具の固体のリングが取り付けられており、前記帯体の他端に前記結合具の弾性伸縮体のリング、又は、一端に取り付けられた固体のリングとは別体であって弾性伸縮体のリングに連結されている固体のリングが取り付けられている。
【００１６】
請求項４の荷崩れ防止バンドによれば、輸送及び物流の現場で廃棄されるような帯体を再利用することができる。
【考案の効果】
【００１７】
請求項１から４のいずれかの考案によれば、輸送及び物流用パレットの上に段積された積荷が軽くても、荷崩れを防止することができる。
【図面の簡単な説明】
【００１８】
【図１】本考案の一実施形態の結合具の概略平面図である。
【図２】本考案の一実施形態の荷崩れ防止バンドの結合部付近の概略平面図である。
【考案を実施するための形態】
【００１９】
本考案の一実施形態である結合具１について、以下説明する。
【００２０】
結合具１は、固体のリング２と、弾性伸縮体のリング３と、巻きつき調整手段４とを有する。
【００２１】
固体のリング２は、１個の樹脂製のリングである。固体のリング２は平面視で四角形のリングとなっている。固体のリング２の一か所は切断されている。固体のリング２は弾性変形可能となっており、固体のリング２の切断された部分は切断面同士を離間させることができるようになっている。
【００２２】
固体のリング２の離間させた切断面の間から弾性伸縮体のリング３を通すことによって、固体のリング２と弾性伸縮体のリング３を連結させることができる。
【００２３】
弾性伸縮体のリング３は、１個の輪ゴムであり、厚みに対して切幅が長い輪ゴムである。
【００２４】
連結された弾性伸縮体のリング３は、固体のリング２に巻きついた状態となっている。
【００２５】
巻きつき調整手段４は１個の輪ゴムである。巻きつき調整手段４は弾性伸縮体のリング３の固体のリング２に巻きついている部分の近くで、弾性伸縮体のリング３の一部を絞ることによって、弾性伸縮体のリング３の固体のリング２への巻きつきを強くできるようになっている。この巻きつきが強い状態では、弾性伸縮体のリング３が固体のリング２に巻きついている位置を動かないようにすることができる。
【００２６】
巻きつき調整手段４を取り外すことや、弾性伸縮体のリング３の固体のリング２に巻きついている部分から巻きつき調整手段４を遠ざけることによって、弾性伸縮体のリング３の固体のリング２への巻きつきを弱くすることができる。この巻きつきが弱い状態では、弾性伸縮体のリング３が固体のリング２に巻きついている位置を動かすことができる。例えば、固体のリング２の切断された部分を覆うように弾性伸縮体のリング３の巻きついている位置を動かすことができる。
【００２７】
以下、本考案の一実施形態である荷崩れ防止バンド１０について図２を用いて説明する。
【００２８】
荷崩れ防止バンド１０は、帯体５の一端に、結合具１の固体のリング２が取り付けられており、帯体５の他端に結合具１の弾性伸縮体のリング３が取り付けられている。
【００２９】
帯体５は、ＰＰバンド６とＰＰバンドストッパー７を有する。帯体５の両端には、ＰＰバンドストッパー７を介して、ＰＰバンド６のループ６１，６２を形成できるようになっている。
【００３０】
固体のリング２の離間させた切断面の間から帯体５の一端側のループ６１を通すことによって、図２（ａ）に示すように、固体のリング２と一端側のループ６１を連結させることができる。図２（ａ）の連結している状態から固体のリング２の離間させた切断面の間から一端側のループ６１を通すことで、図２（ｂ）に示すように固体のリング２と一端側のループ６１との連結を容易に解除することができる。
【００３１】
帯体５の他端側のループ６２は、ＰＰバンドストッパー７によって、弾性伸縮体のリング３と連結されるように形成することができる。
【００３２】
上記実施形態では、結合具１は１個の固体のリング２を有する場合について説明したが、これに限定されることはない。２個以上の複数の固体のリングがそれぞれ弾性伸縮体のリングに連結されていてもよい。
【００３３】
上記実施形態では、固体のリング２は平面視で四角形のリングとなっている場合について説明したが、これに限定されることはない。平面視で三角形等の多角形や円形のリングであってもよい。
【００３４】
上記実施形態では、図中において、固体のリング２の切断された部分は切断面同士が当接している場合について説明したが、これに限定されることはない。固体のリング２の切断された部分は切断面同士の間に隙間が存在していてもよい。
【００３５】
上記実施形態では、弾性伸縮体のリング３が１個の輪ゴムである場合について説明したが、これに限定されることはない。輪ゴム以外の他の素材の弾性伸縮体のリングであってもよい。
【００３６】
上記実施形態では、荷崩れ防止バンド１０は、帯体５の他端に結合具１の弾性伸縮体のリング３が取り付けられている場合について説明したがこれに限定されることはない。帯体５の他端には、一端に取り付けられた固体のリングとは別体であって弾性伸縮体のリングに連結されている固体のリングが取り付けられていてもよい。
【００３７】
結合具１は、帯体５と組み合わせて使用されるだけでなく、単独で対象物を束ねるために使用されてもよい。
【符号の説明】
【００３８】
１          結合具
２          固体のリング
３          弾性伸縮体のリング
４          巻きつき調整手段
５          帯体
６          ＰＰバンド
７          ＰＰバンドストッパー
１０        荷崩れ防止バンド
６１，６２  ループ
【図１】
0003206728.tif 000003
【図２】
0003206728.tif 000004